(57)【要約】【課題】外装筐体における排気ダクトの配設箇所での温度上昇を抑制できるプロジェクタを提供する。【解決手段】プロジェクタ１は、内部の空気を外部に排出するための排気口２３を有する外装筐体２と、外装筐体２内部に配設され内部の空気を排気口２３に導く排気ダクト４２と、外装筐体２と排気ダクト４２との互いに対向する側壁間の隙間に介装され、外装筐体２内部において、隙間の少なくとも一部の空間Ｓｐ１と他の空間Ｓｐ０とを区画する隔壁部材５とを備える。【選択図】図７
2009210861.tif 000002
【特許請求の範囲】
【請求項１】
内部の空気を外部に排出するための排気口を有する外装筐体と、前記外装筐体内部に配設され内部の空気を前記排気口に導く排気ダクトとを備えたプロジェクタであって、
前記外装筐体と前記排気ダクトとの互いに対向する側壁間の隙間に介装され、前記外装筐体内部において、前記隙間の少なくとも一部の空間と他の空間とを区画する隔壁部材を備える
ことを特徴とするプロジェクタ。
【請求項２】
請求項１に記載のプロジェクタにおいて、
前記隔壁部材は、複数設けられ、
前記複数の隔壁部材は、前記他の空間に向けて互いに離間した状態で並設され、前記隙間の少なくとも一部の空間を複数の空間に区画する
ことを特徴とするプロジェクタ。
【請求項３】
請求項１または請求項２に記載のプロジェクタにおいて、
前記隔壁部材は、前記排気ダクト外面に一体形成されている
ことを特徴とするプロジェクタ。
【発明の詳細な説明】
【技術分野】
【０００１】
本発明は、プロジェクタに関する。
【背景技術】
【０００２】
従来、光源から射出された光束を画像情報に応じて変調し、スクリーン等に拡大投射するプロジェクタが知られている。
そして、このようなプロジェクタでは、一般的に、温度上昇を回避するために、外装筐体内部の高温空気を外部に排出する冷却構造が採用されている（例えば、特許文献１参照）。
特許文献１に記載の冷却構造は、光源装置近傍の空気を吸入して吐出する軸流ファンと、一端が軸流ファン側に位置し他端が外装筐体に形成された排気口に対向するように配設され、軸流ファンから吐出された空気を排気口に導く筒状の排気ダクトとで構成されている。
【０００３】
【特許文献１】特開２００３−２１５７１０号公報
【発明の開示】
【発明が解決しようとする課題】
【０００４】
しかしながら、特許文献１に記載のプロジェクタでは、外装筐体と排気ダクトとの互いに対向する側壁間（外装筐体における天面部、底面部、および側面部と、排気ダクトの上面部、下面部、および側面部との間）に隙間が生じているため、排気ダクトから排出され排気口に向う高温空気の一部が排気口を介して外部に排出されず、前記隙間に流入してしまう恐れがある。特に、軸流ファンの回転数が小さい場合、すなわち、排気ダクトから排出される吐出圧が低い場合には、排気ダクトから排出された高温空気の一部が前記隙間に流入しやすいものである。
また、特許文献１に記載のプロジェクタのように、排気ダクトの近傍に光源装置等の熱源が配設されている場合には、熱源にて温められた高温空気のうち、軸流ファンにて吸入されない一部の高温空気が前記隙間に流入しやすいものである。
そして、前記隙間に高温空気が流入すると、前記隙間での高温空気の流れによって、外装筐体における排気ダクトの配設箇所が高温化してしまう、という問題がある。
【０００５】
本発明の目的は、外装筐体における排気ダクトの配設箇所での温度上昇を抑制できるプロジェクタを提供することにある。
【課題を解決するための手段】
【０００６】
本発明のプロジェクタは、内部の空気を外部に排出するための排気口を有する外装筐体と、前記外装筐体内部に配設され内部の空気を前記排気口に導く排気ダクトとを備えたプロジェクタであって、前記外装筐体と前記排気ダクトとの互いに対向する側壁間の隙間に介装され、前記外装筐体内部において、前記隙間の少なくとも一部の空間と他の空間とを区画する隔壁部材を備えることを特徴とする。
【０００７】
本発明では、プロジェクタは、上述した隔壁部材を備えるので、外装筐体と排気ダクトとの互いに対向する側壁間の隙間、例えば、外装筐体における排気口が形成される側壁（例えば、前面部）を除く天面部、底面部、側面部等の側壁と排気ダクトの側壁との隙間に隔壁部材を介装すれば、排気ダクトから排出された高温空気の一部が排気口を介して外部に排出されず内部に逆流した場合であっても、隔壁部材により、逆流した高温空気が前記隙間に流入することを抑制できる。
また、排気ダクトの近傍に光源装置等の熱源が配設されている場合であっても、隔壁部材により、熱源にて温められた高温空気が前記隙間に流入することを抑制できる。
以上のように、隔壁部材を設けることで前記隙間に高温空気が流入することを抑制し、すなわち、前記隙間で空気が流れることを抑制できるため、外装筐体における排気ダクトの配設箇所での温度上昇を抑制できる。
【０００８】
また、従来の構成では、排気ダクトから排出された高温空気の一部が内部に逆流することを防止し外装筐体における排気ダクトの配設箇所での温度上昇を抑制するためには、軸流ファンの回転数を大きくする必要があったところ、本発明では、上述したように隔壁部材を設けることで逆流した高温空気が前記隙間に流入することを抑制して外装筐体における排気ダクトの配設箇所での温度上昇を抑制できるため、軸流ファンの回転数を大きくする必要がなく、プロジェクタの省電力化が図れるとともに静粛性を確保できる。
【０００９】
本発明のプロジェクタでは、前記隔壁部材は、複数設けられ、前記複数の隔壁部材は、前記他の空間に向けて互いに離間した状態で並設され、前記隙間の少なくとも一部の空間を複数の空間に区画することが好ましい。
本発明では、隔壁部材は、複数設けられ、前記隙間の少なくとも一部の空間が複数の空間に区画されている。例えば、隔壁部材を２つ設けた場合には、内側に配設される第１隔壁部材にて前記隙間に他の空間に対して区画された第１空間が設けられ、外側に配設される第２隔壁部材にて第１空間の外側に、第１空間および他の空間に対して区画された第２空間が設けられる。すなわち、第２空間（前記隙間における外側に設けられる空間）によって、他の空間から第１空間（前記隙間における内側に設けられる空間）に熱が伝達されることを効果的に抑制できる。特に、空気層は断熱効果が高いため、第２空間の空気層により、他の空間から第１空間に熱が伝達されることを効果的に抑制できる。したがって、外装筐体における排気ダクトの配設箇所での温度上昇を効果的に抑制できる。
【００１０】
本発明のプロジェクタでは、前記隔壁部材は、前記排気ダクト外面に一体形成されていることが好ましい。
本発明では、隔壁部材が排気ダクト外面に一体形成されているので、排気ダクトを外装筐体内部に配設するだけで、前記隙間の少なくとも一部の空間と他の空間とを区画でき、隔壁部材が排気ダクトと別体で構成されている場合と比較して、プロジェクタの組み立てを容易に実施できる。
【発明を実施するための最良の形態】
【００１１】
以下、本発明の実施の一形態を図面に基づいて説明する。
〔外観構成〕
図１は、本実施形態におけるプロジェクタ１の外観を前面上方側から見た斜視図である。
なお、以下で記載する「上」、「下」、「左」、「右」は、図１における図面視において、上下左右に相当するものである。また、以下で記載する「前面」、「背面」も、図１における図面視において、前面および背面に相当するものである。
プロジェクタ１は、光源から射出された光束を画像情報に応じて変調して画像光を形成し、形成した画像光をスクリーン（図示略）上に拡大投射する。このプロジェクタ１は、図１に示すように、外装を構成する外装筐体２を備える。
【００１２】
外装筐体２は、プロジェクタ１の装置本体を収納する。この外装筐体２は、図１に示すように、プロジェクタ１の天面部２Ａ、前面部２Ｂ、背面部２Ｃ、左側面部２Ｄ、および右側面部２Ｅをそれぞれ構成するアッパーケース２１と、プロジェクタ１の底面部２Ｆ、前面部２Ｂ、背面部２Ｃ、左側面部２Ｄ、および右側面部２Ｅをそれぞれ構成するロアーケース２２とを備える。
この外装筐体２には、図１に示すように、前面部２Ｂの左側部分から左側面部２Ｄの前面側にかけて、外装筐体２内部の空気を外部に排気するための排気口２３が形成されている。
この排気口２３には、複数の整流板２４Ａが格子状に配列した外部ルーバ２４が形成されている。
【００１３】
〔内部構成〕
図２は、外装筐体２内部に収容される装置本体を模式的に示す図である。
外装筐体２内部には、図２に示す装置本体が収容されている。そして、この装置本体は、光学ユニット３と、排気装置４等を備える。
なお、具体的な図示は省略したが、外装筐体２内において、各部材３，４以外の空間には、プロジェクタ１内部に空気を導入させ内部の各構成部材を冷却する冷却ファン等を備えた冷却ユニット、プロジェクタ１の各構成部材に電力を供給する電源ユニット、プロジェクタ１の各構成部材の動作を制御する制御装置等が配置されるものとする。
【００１４】
〔光学ユニットの構成〕
光学ユニット３は、図２に示すように、光源ランプ３１１およびリフレクタ３１２を有する光源装置３１と、レンズアレイ３２１，３２２、偏光変換素子３２３、および重畳レンズ３２４を有する照明光学装置３２と、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４と、光変調装置としての３つの液晶パネル３５１（赤色光側の液晶パネルを３５１Ｒ、緑色光側の液晶パネルを３５１Ｇ、青色光側の液晶パネルを３５１Ｂとする）、３つの入射側偏光板３５２、３つの射出側偏光板３５３、および色合成光学装置としてのクロスダイクロイックプリズム３５４を有する光学装置３５と、投射光学装置としての投射レンズ３６とを備える。
【００１５】
なお、上述した各光学部品３１〜３６については、種々の一般的なプロジェクタの光学系として利用されているため、具体的な説明を省略する。
そして、光学ユニット３では、上述した構成により、光源装置３１から射出され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調され、色光毎の画像光が形成される。色光毎の画像光は、クロスダイクロイックプリズム３５４にて合成され、投射レンズ３６にてスクリーン（図示略）に拡大投射される。
【００１６】
〔排気装置の構成〕
図３は、排気装置４を前面上方側から見た分解斜視図である。
排気装置４は、外装筐体２内部において前面左側の角隅部分に配設され、外装筐体２内部に滞留する高温空気を、排気口２３を介して外部に排出する。この排気装置４は、図３に示すように、軸流ファン４１と、排気ダクト４２とを備える。
【００１７】
図４ないし図６は、排気ダクト４２の外観を示す斜視図である。具体的に、図４は、排気ダクト４２を前面右上側から見た斜視図である。図５は、排気ダクト４２を前面左上側から見た斜視図である。図６は、排気ダクト４２を背面左下側から見た斜視図である。
排気ダクト４２は、上面部４２Ａ、左側面部４２Ｂ、下面部４２Ｃ、および右側面部４２Ｄを有し、一方向に延出する略四角筒形状を有し、一端４２１が光源装置３１の前面側に位置し、他端４２２が排気口２３に対向するように配設され、光源装置３１近傍の空気を排気口２３に導く。この排気ダクト４２は、上下方向略中央部分において延出方向に沿う平面（水平面）にて分割され、互いに組み合わされる第１ダクト部材４２０Ａおよび第２ダクト部材４２０Ｂで構成されている。
この排気ダクト４２において、内面には、図３に示すように、軸流ファン４１の外形形状に対応して外側に向けて窪む凹部４２３が形成されている。そして、軸流ファン４１は、各ダクト部材４２０Ａ，４２０Ｂを互いに組み合わせた際に、各ダクト部材４２０Ａ，４２０Ｂの凹部４２３に嵌合し、空気の吸入方向および吐出方向が排気ダクト４２の延出方向に沿うように排気ダクト４２内部に配設される。
【００１８】
また、凹部４２３に対して他端４２２側には、図３に示すように、各ダクト部材４２０Ａ，４２０Ｂが互いに組み合わされることで構成される内部ルーバ４２４が設けられている。
内部ルーバ４２４は、排気ダクト４２内部の空気の流路Ｒを跨るように上下方向に延び、各板面が排気ダクト４２の延出方向に直交する平面に対して傾斜し、左右方向に所定のピッチで並設された複数の羽板４２４Ａで構成されている。そして、内部ルーバ４２４は、流路Ｒに沿って流通する空気を整流して他端４２２から所定方向（本実施形態では左方向）に排出する整流機能と、一端４２１から排気ダクト４２内部に導入された漏れ光を遮光する遮光機能とを有している。
【００１９】
また、排気ダクト４２には、図４ないし図６に示すように、上面部４２Ａ、左側面部４２Ｂ、および下面部４２Ｃの各外面全体を囲むように延出し、各外面に対して直交して突出する隔壁部材５が一体的に設けられている。
具体的に、隔壁部材５は、図４または図５に示すように、排気ダクト４２の上面部４２Ａにおいて、右側の辺縁、前面側の辺縁、および背面側の辺縁に沿って延出する。
また、隔壁部材５は、図５または図６に示すように、排気ダクト４２の左側面部４２Ｂにおいて、前面側の辺縁、および背面側の辺縁に沿って延出する。
さらに、隔壁部材５は、図６に示すように、排気ダクト４２の下面部４２Ｃにおいて、右側の辺縁、前面側の辺縁、および背面側の辺縁に沿って延出する。なお、隔壁部材５は、排気ダクト４２の下面部４２Ｃにおいて、右側の辺縁の一部の領域Ａｒでは形成されていないが、該領域Ａｒは外装筐体２の底面部２Ｆに当接する部分であり、すなわち、外装筐体２と排気ダクト４２との間に隙間が生じない領域である。
そして、隔壁部材５は、排気ダクト４２における上面部４２Ａ、左側面部４２Ｂ、および下面部４２Ｃの間で互いに接続する。
【００２０】
また、隔壁部材５は、図４ないし図６に示すように、各外面における内側から外側に向けて互いに離間した状態で並設され、同一の突出寸法を有する第１隔壁部材５Ａおよび第２隔壁部材５Ｂの２つで構成されている。
そして、第１隔壁部材５Ａの先端部分には、図４ないし図６に示すように、第１隔壁部材５Ａの形状に対応し、ゴム等の第１弾性部材６Ａが接着剤等により固着されている。第２隔壁部材５Ｂの先端部分にも同様に、ゴム等の第２弾性部材６Ｂが固着されている。
【００２１】
さらに、排気ダクト４２において、左側面部４２Ｂの一部を面取りした箇所には、図５または図６に示すように、サーミスタ７が取り付けられている。
このサーミスタ７は、排気ダクト４２の隔壁部材５で囲まれた後述する第１空間Ｓｐ１１（図７、図８参照）の温度を検出している。検出された温度は図示しない制御装置に出力され、軸流ファン４１の動作の制御に使用される。隔壁部材５で囲まれた第１空間Ｓｐ１１内に配置されるので、後述するように、空気の流れが少なく、より正確な温度の測定が可能となる。
【００２２】
図７および図８は、外装筐体２内部に排気ダクト４２が配設された状態を示す断面図である。具体的に、図７はプロジェクタ１を左右方向に沿う鉛直面にて切断した断面図（図１のVII-VII線の断面図）であり、図８はプロジェクタを前後方向に沿う鉛直面にて切断した断面図（図１のVIII-VIII線の断面部）である。
排気ダクト４２は、外装筐体２内部に配設された状態では、図７または図８に示すように、隔壁部材５の先端部分に固着された各弾性部材６Ａ，６Ｂが外装筐体２内面にて圧縮される。そして、外装筐体２の天面部２Ａ、左側面部２Ｄ、および底面部２Ｆと、排気ダクト４２の上面部４２Ａ、左側面部４２Ｂ、および下面部４２Ｃとの隙間略全体の空間Ｓｐ１は、他の空間Ｓｐ０と区画された密閉空間とされる。
また、第１隔壁部材５Ａおよび第１弾性部材６Ａと、第２隔壁部材５Ｂおよび第２弾性部材６Ｂとにより、空間Ｓｐ１は、内側に設けられる第１空間Ｓｐ１１と、外側に設けられる第２空間Ｓｐ１２とに区画される。
【００２３】
上述した実施形態によれば、以下の効果がある。
本実施形態では、プロジェクタ１には、外装筐体２と排気ダクト４２との互いに対向する側壁間の隙間に介装される隔壁部材５が設けられているので、排気ダクト４２から排出された高温空気の一部が排気口２３を介して外部に排出されずに内部に逆流した場合であっても、隔壁部材５により、逆流した高温空気が前記隙間に流入することを回避できる。
また、排気ダクト４２の近傍に光源装置３１が配設されていても、隔壁部材５により、光源装置３１にて温められた高温空気が前記隙間に流入することを回避できる。
以上のように、隔壁部材５を設けることで前記隙間に高温空気が流入することを回避し、すなわち、前記隙間で空気が流れることがないため、外装筐体２における排気ダクト４２の配設箇所での温度上昇を抑制できる。
【００２４】
また、上述したように隔壁部材５を設けることで外装筐体２における排気ダクト４２の配設箇所での温度上昇を抑制できるため、排気ダクトから排出された高温空気の内部への逆流を抑制するために軸流ファン４１の回転数を大きくする必要がなく、プロジェクタ１の省電力化が図れるとともに静粛性を確保できる。
【００２５】
さらに、軸流ファン４１が排気ダクト４２内部に配設されているため、排気ダクト４２を流通する空気により、排気口２３を介して軸流ファン４１の駆動時における軸流ファン４１自体の熱を外部に効率的に排出できる。このため、軸流ファン４１自体の熱により温められた高温空気が前記隙間に流入することを回避し、外装筐体２における排気ダクト４２の配設箇所での温度上昇を抑制できるという効果を好適に図れる。
【００２６】
また、隔壁部材５は、第１隔壁部材５Ａおよび第２隔壁部材５Ｂの２つで構成され、空間Ｓｐ１が第１空間Ｓｐ１１および第２空間Ｓｐ１２の２つに区画されている。このことにより、第２空間Ｓｐ１２によって、他の空間Ｓｐ０から第１空間Ｓｐ１１に熱が伝達されることを効果的に抑制できる。特に、空気層は断熱効果が高いため、第２空間Ｓｐ１２の空気層により、他の空間Ｓｐ０から第１空間Ｓｐ１１に熱が伝達されることを効果的に抑制できる。したがって、外装筐体２における排気ダクト４２の配設箇所での温度上昇を効果的に抑制できる。
【００２７】
さらに、隔壁部材５が排気ダクト４２外面に一体形成されているとともに、各弾性部材６Ａ，６Ｂが隔壁部材５に固着されているので、排気ダクト４２を外装筐体２内部に配設するだけで、空間Ｓｐ１と他の空間Ｓｐ０とを区画でき、隔壁部材５や各弾性部材６Ａ，６Ｂが排気ダクト４２と別体で構成されている場合と比較して、プロジェクタ１の組み立てを容易に実施できる。
【００２８】
なお、本発明は前述の実施形態に限定されるものではなく、本発明の目的を達成できる範囲での変形、改良等は本発明に含まれるものである。
前記実施形態では、隔壁部材５は、外装筐体２の天面部２Ａ、左側面部２Ｄ、および底面部２Ｆと、排気ダクト４２の上面部４２Ａ、左側面部４２Ｂ、および下面部４２Ｃとの隙間略全体の空間Ｓｐ１と、他の空間Ｓｐ０とを区画していたが、これに限らず、前記隙間の一部の空間、例えば外装筐体２の天面部２Ａと排気ダクト４２の上面部４２Ａとの隙間のみの空間と、他の空間とを区画するように構成しても構わない。
【００２９】
前記実施形態において、隔壁部材５の形状は、前記実施形態で説明した形状に限らず、外装筐体２と排気ダクト４２との互いに対向する側壁間の隙間に介装されれば、いずれの形状でも構わない。例えば、外装筐体２の左側面部２Ｄに排気ダクト４２の左側面部４２Ｂ全体が密着した状態で配設した場合、すなわち、外装筐体２の左側面部２Ｄと排気ダクト４２の左側面部４２Ｂとの間に隙間が生じていない場合には、隔壁部材５を排気ダクト４２の上面部４２Ａや下面部４２Ｃのみに略Ｕ字形状を有するように形成するとともに、Ｕ字状の先端部分が外装筐体２の左側面部２Ｄに当接するように構成する。
前記実施形態では、隔壁部材５は、排気ダクト４２の外面において内側から外側に向けて互いに離間した状態で並設される第１隔壁部材５Ａおよび第２隔壁部材５Ｂの２つで構成していたが、これに限らず、３つ以上で構成しても構わない。
前記実施形態では、隔壁部材５は、排気ダクト４２の外面に一体的に形成されていたが、これに限らず、外装筐体２に一体的に形成してもよく、あるいは、外装筐体２および排気ダクト４２とは別体で構成しても構わない。
【００３０】
前記実施形態では、光変調装置として、透過型の液晶パネル３５１を採用していたが、これに限らず、反射型の液晶パネル、あるいは、ＤＭＤ(Digital Micromirror Device)(米国テキサスインスツルメント社の商標)等を採用してもよい。
前記実施形態では、フロント投射型のプロジェクタの例のみを挙げたが、本発明は、スクリーンを備え、該スクリーンの裏面側から投射を行うリアタイプのプロジェクタにも適用可能である。
【産業上の利用可能性】
【００３１】
本発明は、外装筐体における排気ダクトの配設箇所での温度上昇を抑制できるため、プレゼンテーションやホームシアタに用いられるプロジェクタに利用できる。
【図面の簡単な説明】
【００３２】
【図１】本実施形態におけるプロジェクタの外観を前面上方側から見た斜視図。
【図２】前記実施形態における外装筐体内部に収容される装置本体を模式的に示す図。
【図３】前記実施形態における排気装置を前面上方側から見た分解斜視図。
【図４】前記実施形態における排気ダクトの外観を示す斜視図。
【図５】前記実施形態における排気ダクトの外観を示す斜視図。
【図６】前記実施形態における排気ダクトの外観を示す斜視図。
【図７】前記実施形態における外装筐体内部に排気ダクトが配設された状態を示す断面図。
【図８】前記実施形態における外装筐体内部に排気ダクトが配設された状態を示す断面図。
【符号の説明】
【００３３】
１・・・プロジェクタ、２・・・外装筐体、５，５Ａ，５Ｂ・・・隔壁部材、４２・・・排気ダクト、２３・・・排気口、Ｓｐ０・・・他の空間、Ｓｐ１，Ｓｐ１１，Ｓｐ１２・・・空間。
【図１】
2009210861.tif 000003
【図２】
2009210861.tif 000004
【図３】
2009210861.tif 000005
【図４】
2009210861.tif 000006
【図５】
2009210861.tif 000007
【図６】
2009210861.tif 000008
【図７】
2009210861.tif 000009
【図８】
2009210861.tif 000010